(57)【要約】【課題】光ファイバと観察のための光学系の光路中に光学部材を挿入配置する場合にも、撮像装置を機構的に調整することなく輝度プロファイルを補正して、コントラストを向上させることが可能な光ファイバの観察方法と観察装置を提供する。【解決手段】光ファイバ２の側面に光を照射し、該光ファイバを透過してくる光を撮像装置７で受光して光ファイバの輝度プロファイルＬを観察する光ファイバの観察方法で、光ファイバ２と撮像装置７との間に、光学部材８を挿入して光学特性を変えた際に、光ファイバ２に照射する光の波長を変化させて、光ファイバの輝度プロファイルＬを補正する。なお、前記の輝度プロファイルＬの補正は、光ファイバ２のコア部のコントラストの補正であり、光学部材には平板状ガラスが用いられる。【選択図】図１
2010261730.tif 000002
【特許請求の範囲】
【請求項１】
光ファイバの側面に光を照射し、該光ファイバを透過してくる光を撮像装置で受光して前記光ファイバの輝度プロファイルを観察する光ファイバの観察方法であって、
前記光ファイバと前記撮像装置との間に、光学部材を挿入して光学特性を変えた際に、前記光ファイバに照射する光の波長を変化させて、前記光ファイバの輝度プロファイルを補正することを特徴とする光ファイバの観察方法。
【請求項２】
前記輝度プロファイルの補正は、光ファイバのコア部のコントラストの補正であることを特徴とする請求項１に記載の光ファイバの観察方法。
【請求項３】
前記光学部材は平板状ガラスであることを特徴とする請求項１または２に記載の光ファイバの観察方法。
【請求項４】
光ファイバの側面に光を照射する波長可変光源と、該光ファイバを透過してくる光を受光する撮像装置を備え、前記光ファイバの輝度プロファイルを観察する光ファイバの観察装置であって、
前記光ファイバと前記撮像装置との間に、光学部材を挿入して光学特性を変えた際に、前記波長可変光源の波長を変化させて、前記光ファイバの輝度プロファイルを補正して観察することを特徴とする光ファイバの観察装置。
【発明の詳細な説明】
【技術分野】
【０００１】
本発明は、光ファイバの融着接続機でコア検出等に用いられる光ファイバの観察方法および観察装置に関する。
【背景技術】
【０００２】
光ファイバを融着接続する場合、接続される光ファイバの双方の端面を対向するように保持し、光ファイバの双方のコア部が一致するように調心して行なわれる。コア部の検出は、通常、光ファイバの側面に光を照射し、その透過光をレンズで拡大してコア像を観察し、コア径あるいはコアの軸ずれ等を検出している。なお、光ファイバの観察は、光ファイバの軸に直交する２方向から行なわれる。
【０００３】
光ファイバの観察は、光ファイバの側面に照射された光が、空気−クラッド部−コア部をスネルの法則にしたがって屈折し、拡大レンズにより拡大された画像として結像させ、これを画像処理により輝度プロファイル（光強度分布）とすることができる。この輝度プロファイルを解析することにより、コア部の外径や軸ずれ量を求めて、接続損失の少ない光ファイバの融着接続することが知られている。また、係る光ファイバの観察方法で接続結果の良否も検査することが可能とされている（例えば、特許文献１参照）。
【０００４】
また、多心の光ファイバの融着接続等で、高倍率のレンズを用いて観察すると、観察面（撮像素子）には、多心光ファイバの一部しか観察することができない場合がある。これに対応するためには、光源や観察面を移動する必要があるが、調整操作に時間を要するなどの問題がある。これを改善する方法として、光源に波長可変型のものを用い、レンズと観察面との間に分光器（プリズム）を配して、光源の波長を変えることにより観察光の光路を変えることが知られている（例えば、特許文献２参照）。
【先行技術文献】
【特許文献】
【０００５】
【特許文献１】特公昭６２−２９７６３号公報
【特許文献２】特開平９−１１３７５３号公報
【発明の概要】
【発明が解決しようとする課題】
【０００６】
光ファイバの融着接続は、上記の特許文献１，２に開示のように、光ファイバのコア部を観察し、コアの位置を調心することにより接続損失の少ない光ファイバ接続を実現することができる。しかし、これには、精度の高い観察の光学系と焦点位置の管理、画像処理技術が必要とされる。また、光ファイバの接続は、野外で作業することも多く外部環境の影響を受けやすい。このため、防水や耐風、砂塵対策などについても考慮する必要があり、稼動部の開口や隙間を極力減らした構成が要求される。
【０００７】
このような要求の1つに、光ファイバのコア部を観察する光学系について、光の受光口をカバーガラスで覆い、耐環境性を高める方法が考えられる。しかしながら、光学系にカバーガラスのような光学部品を介在させると、光ファイバのコア部を観察するに際して、焦点距離の変動、光学収差特性が変わり、観察する光ファイバ画像の輝度プロファイルが変化し、コントラストが低下して観察精度が悪くなる。この場合、撮像の焦点位置を替えるなどの調整作業が必要で、機構的にも複雑な構成となる。
【０００８】
本発明は、上述した実情に鑑みてなされたもので、光ファイバと観察のための光学系の光路中に光学部材を挿入配置する場合にも、撮像装置を機構的に調整することなく輝度プロファイルを補正して、コントラストを向上させることが可能な光ファイバの観察方法と観察装置の提供を目的とする。
【課題を解決するための手段】
【０００９】
本発明による光ファイバの観察方法および観察装置は、光ファイバの側面に光を照射し、該光ファイバを透過してくる光を撮像装置で受光して光ファイバの輝度プロファイルを観察する光ファイバの観察方法で、光ファイバと撮像装置との間に、光学部材を挿入して光学特性を変えた際に、光ファイバに照射する光の波長を変化させて、光ファイバの輝度プロファイルを補正する。なお、前記の輝度プロファイルの補正は、光ファイバのコア部のコントラストの補正であり、光学部材には平板状ガラスが用いられる。
【発明の効果】
【００１０】
本発明によれば、観察装置のレンズ機構を調整することなく、光源の波長を変化させるだけで、光ファイバのコア部の輝度プロファイルを簡単に変化させ、コア部検出のためのコントラストを向上させることができる。この結果、撮像装置に複雑なズームレンズ機構を備えていないものを用いることができ、コストの低減をはかることが可能となる。
【図面の簡単な説明】
【００１１】
【図１】本発明による光ファイバの観察方法および装置の概略を説明する図である。
【図２】本発明の動作状態を説明する図である。
【発明を実施するための形態】
【００１２】
図１により本発明の概略を説明する。図中、１は融着接続機、２は光ファイバ、２ａは光ファイバの接続端、２ｂはファイバ被覆、３は放電電極、４はＶ溝クランプ、５は被覆クランプ、６は波長可変光源、７は撮像装置、７ａはレンズ、７ｂは結像面、８は光学部材を示す。
【００１３】
図に示すように、光ファイバの融着接続機１は、一対の光ファイバ２の接続端２ａを互いに対向するように支持し、放電電極３で接続端２ａを加熱溶融させて融着接続する。この融着接続に際しては、光ファイバ２の端部領域のファイバ被覆２ｂを除去してガラスの裸ファイバ部を露出させ、双方の光ファイバのファイバ被覆２ｂの際部分を被覆クランプ５で固定し、裸ファイバ部をＶ溝クランプ４で保持して位置決めされる。
【００１４】
双方の光ファイバの接続端２ａは、軸方向に対して直角にカットするか又は信号光の反射防止のために所定の角度でカットして対向配置される。また、光ファイバの接続端２ａの位置及び端面状態は、光源６と撮像装置７を用いた画像観察装置により監視される。なお、融着接続に先立って、例えば、双方の光ファイバの接続端２ａを、それぞれ個別に放電電極３によりスパッタリング放電等を行ない、端面処理する。この後、光源６と撮像装置７による画像観察機構により、被覆クランプ５及びＶ溝クランプ４を駆動機構（図示省略）により調整して、双方の光ファイバの光軸及び接続端２ａの位置等を調整して互いに突き合わせる。
【００１５】
画像観察装置は、光ファイバ２のファイバ被覆２ｂが除去された裸ファイバ部を照射する光源６と、光ファイバの側面を透過する光を受光して撮像する撮像装置（撮像カメラ）７からなる。光源６は、光の波長を可変することが可能な光波長可変光源が用いられ、必要に応じ、光源の波長を変化させることが可能とされている。撮像装置７は、光ファイバの側面の形状を撮像して、光ファイバ２の側面を透過する光の量に基づいた光ファイバ画像Ｐを結像する。この結像された光ファイバ画像Ｐを画像処理することにより、光ファイバの輝度プロファイルＬを取得することができる。この輝度プロファイルＬから、光ファイバ２のコア部の外径や軸ずれ等の検出が可能となる。
【００１６】
光ファイバ２の輝度プロファイルＬは、光ファイバの種類や、焦点位置によって異なるが、通常、縦軸に輝度、横軸に光ファイバの径方向断面をとると、コア部を通る光により生じる輝度の大きい山形のプロファイルＭ１の両側に、クラッド部を通る光により生じる山形のプロファイルＭ２を有した形となる。このうち、中央の山形プロファイルＭ１と両側の山形プロファイルＭ２の間の谷部の距離Ｓ１と谷の深さＳ２等を解析することにより、光ファイバのコア径、軸ずれ等を算定することができる。
【００１７】
融着接続機１において、撮像装置７のレンズ７ａと観察する光ファイバ２との間の光路中に、何もない状態で観測する場合と、前記の光路中に光学部材８が入る場合がある。光学部材８が観察光路中に入れるケースとしては、撮像装置７を外部環境から保護するために、例えば、撮像装置７のレンズ７ａを光学的に透過なガラスカバーで覆うような場合がある。このガラスカバーとしては、耐磨耗性と化学的安定性のある石英ガラスなどで形成された平板状のものが用いられる。
【００１８】
図２は、このようなガラスカバー（光学部材）８が、撮像装置７のレンズ面７ａと光ファイバ２の光路中に、無い場合と有る場合における光ファイバの画像観察の状態を示した模式図である。波長可変光源６からの光を光ファイバ２の側面に照射し、光ファイバ２のコア部およびクラッド部を透過する光を受光し、撮像装置のレンズ７ａを介して結像面７ｂに、光ファイバ画像として結像させる。また、結像された光ファイバ画像は、上記したように画像処理することにより、光ファイバの断面形状を輝度プロファイルで表わすことができる。
【００１９】
図２（Ａ）は、撮像装置７のレンズ７ａと観察する光ファイバ２との間の光路中に何もない場合を示している。この場合、光源６から所定の波長の光が照射され、光ファイバ２の画像がレンズ７ａにより、結像面７ｂに結像される。なお、図中、光ファイバ２からレンズ７ａを経て結像面７ｂに至る線は、透過光線を模式的に示したものである。この結果得られる光ファイバ２の輝度プロファイルＬａは、谷部の距離Ｓ１、谷部の深さＳ２を容易に判別して検出できるように、焦点位置やコントラストが調整されているものとする。得られた輝度プロファイルをもとに、接続すべき光ファイバ同士の軸ずれを修正し、光ファイバの融着接続の接続損失を小さく抑えることが可能となる。
【００２０】
図２（Ｂ）は、撮像装置７のレンズ面７ａと観察する光ファイバ２との間の光路中にガラスカバー８を入れた場合を示している。この場合、所定の波長を有する光源６から照射される光で、光ファイバ２の画像がレンズ７ａにより、結像面７ｂに結像されるが、ガラスカバー８が光路中に入ったことで焦点位置が変わり、このため結像面７ｂでの結像がボケたりする。このため、光ファイバの輝度プロファイルＬｂは、谷部のコントラストが劣化し距離Ｓ１、谷部の深さＳ２が判別しにくくなる。この結果、光ファイバのコア径や軸ずれの検出精度が低下することとなり、光ファイバの融着接続の損失増加が生じる。
【００２１】
図２（Ｃ）は、撮像装置７のレンズ７ａと観察する光ファイバ２との間の光路中にガラスカバー８を入れて、波長可変光源６の波長を調整した場合を示している。この場合、波長が変更された光源６から照射される光で、光ファイバ２の画像がレンズ７ａにより、結像面７ｂに結像される。ガラスカバー８が光路中に入ったことにより、焦点位置が変化し、また光収差も変化するが、光の波長を変えることで補正され、このため、結像面７ｂでの結像は、再び図２（Ａ）の状態に戻すことができる。
【００２２】
この場合、さらに、焦点位置を微調整するため光ファイバ２と撮像装置７の相対位置を変化させてもよい。これによる光ファイバの輝度プロファイルＬｃは、谷部のコントラストが向上して距離Ｓ１および谷部の深さＳ２も判別しやすい状態となる。これにより、光ファイバの軸ずれを精度良く修正することが可能となり、光ファイバの融着接続の接続損失を小さく抑えることができる。
【００２３】
なお、図２（Ｂ）の状態のときに、レンズ７ａと結像面７ｂの相対位置を調節可能なズーム機構を用いることによって、焦点位置を変えることも可能であるが、精密で複雑なズーム機構を要するため、調整も大変であるがコストも大きくなる。本発明においては、波長可変光源６の波長を変えることで、複雑な機械的機構を用いないため、その調整が簡単で撮像装置にズーム機構を有しないものを用いることができるので、コストの低減化をはかることが可能となる。
【符号の説明】
【００２４】
１…融着接続機、２…光ファイバ、２ａ…光ファイバの接続端、２ｂ…ファイバ被覆、３…放電電極、４…Ｖ溝クランプ、５…被覆クランプ、６…光源（波長可変）、７…撮像装置、７ａ…レンズ、７ｂ…結像面、８…光学部材（ガラスカバー）。
【図１】
2010261730.tif 000003
【図２】
2010261730.tif 000004